(57)【要約】【課題】処方される薬剤が患者における検査を要するものであるか否かをより容易に確認可能とする。【解決手段】医療情報提供システム１は、薬剤検査情報ＤＢサーバ２０において、薬剤検査情報抽出部２１ｄと、データベース管理部２１ｅとを備えている。薬剤検査情報抽出部２１ｄは、複数種類の薬剤の添付文書のデータ及び内臓機能の低下に関する処方のガイドラインを示す文書のデータの少なくともいずれかから、処方に際して検査を要する薬剤の検査に関する情報を抽出する。また、薬剤検査情報抽出部２１ｄは、抽出された前記薬剤の検査に関する情報と当該薬剤とが対応付けて格納された薬剤検査情報データベースを生成する。また、データベース管理部２１ｅは、端末装置１０からの要求に応じて、生成された薬剤検査情報データベースを参照し、対象とする薬剤の検査に関する情報を端末装置１０に提供する。【選択図】図２
2019185827.tif 000002
【特許請求の範囲】
【請求項１】
通信可能に構成された端末装置とサーバとを含む医療情報提供システムであって、
前記サーバは、
複数種類の薬剤の添付文書のデータ及び内臓機能の低下に関する処方のガイドラインを示す文書のデータの少なくともいずれかから、処方に際して検査を要する薬剤の検査に関する情報を抽出する薬剤検査情報抽出手段と、
前記薬剤検査情報抽出手段によって抽出された前記薬剤の検査に関する情報と当該薬剤とが対応付けて格納された薬剤検査情報データベースを生成するデータベース生成手段と、
前記端末装置からの要求に応じて、前記データベース生成手段によって生成された前記薬剤検査情報データベースを参照し、対象とする薬剤の検査に関する情報を前記端末装置に提供する薬剤検査情報提供手段と、
を備えることを特徴とする医療情報提供システム。
【請求項２】
前記添付文書のデータ及び前記ガイドラインを示す文書のデータを対象として、処方に際して検査を要する薬剤の検査に関する情報を抽出するための抽出条件を、前記添付文書のデータ及び前記ガイドラインを示すデータの項目毎に設定する条件設定手段をさらに備え、
前記データベース生成手段は、前記条件設定手段によって設定された前記抽出条件に従って、前記添付文書のデータ及び前記ガイドラインを示す文書のデータの項目毎に、処方に際して検査を要する薬剤の検査に関する情報を抽出することを特徴とする請求項１に記載の医療情報提供システム。
【請求項３】
前記条件設定手段によって設定される前記抽出条件には、前記添付文書のデータ及び前記ガイドラインを示す文書のデータの項目毎に設定された文字列と、当該文字列と関連性を有する特定の文字列と、これらの文字列が有する関係とが定義されていることを特徴とする請求項２に記載の医療情報提供システム。
【請求項４】
前記データベース生成手段によって生成された前記薬剤検査情報データベースに含まれていない薬剤の安全性に関する情報を取得する安全性情報取得手段をさらに備え、
前記薬剤検査情報提供手段は、前記データベース生成手段によって生成された前記薬剤検査情報データベースと、前記安全性情報取得手段によって取得された前記薬剤の安全性に関する情報とを参照し、対象とする薬剤の検査に関する情報を提供することを特徴とする請求項１から３のいずれか１項に記載の医療情報提供システム。
【請求項５】
前記複数種類の薬剤の添付文書のデータ及び内臓機能の低下に関する処方のガイドラインを示す文書のデータの少なくともいずれかを、予め設定された取得先から取得する薬剤文書情報取得手段をさらに備え、
前記薬剤文書情報取得手段は、予め設定されたタイミングで、前記複数種類の薬剤の添付文書のデータ及び内臓機能の低下に関する処方のガイドラインを示す文書のデータの少なくともいずれかを取得して更新することを特徴とする請求項４に記載の医療情報提供システム。
【請求項６】
通信可能に構成された端末装置とサーバとを含む医療情報提供システムにおけるサーバであって、
複数種類の薬剤の添付文書のデータ及び内臓機能の低下に関する処方のガイドラインを示す文書のデータの少なくともいずれかから、処方に際して検査を要する薬剤の検査に関する情報を抽出する薬剤検査情報抽出手段と、
前記薬剤検査情報抽出手段によって抽出された前記薬剤の検査に関する情報と当該薬剤とが対応付けて格納された薬剤検査情報データベースを生成するデータベース生成手段と、
前記端末装置からの要求に応じて、前記データベース生成手段によって生成された前記薬剤検査情報データベースを参照し、対象とする薬剤の検査に関する情報を前記端末装置に提供する薬剤検査情報提供手段と、
を備えることを特徴とするサーバ。
【請求項７】
複数種類の薬剤の添付文書のデータ及び内臓機能の低下に関する処方のガイドラインを示す文書のデータの少なくともいずれかから、処方に際して検査を要する薬剤の検査に関する情報を抽出する薬剤検査情報抽出手段と、
前記薬剤検査情報抽出手段によって抽出された前記薬剤の検査に関する情報と当該薬剤とが対応付けて格納された薬剤検査情報データベースを生成するデータベース生成手段と、
前記データベース生成手段によって生成された前記薬剤検査情報データベースを参照し、対象とする薬剤の検査に関する情報を提供する薬剤検査情報提供手段と、
を備えることを特徴とする医療情報提供装置。
【請求項８】
患者に関する処方箋のデータを取得する処方箋情報取得手段と、
処方に際して検査を要する薬剤の検査に関する情報が格納された薬剤検査情報データベースを検索することにより、前記処方箋のデータにおいて処方に際して検査を要する薬剤が含まれているか否かを確認する薬剤検査情報確認手段と、
前記処方箋のデータにおいて処方に際して検査を要する薬剤が含まれている場合に、当該薬剤に関連する検査項目の検査値のデータを取得する検査結果データ取得手段と、
前記処方箋情報取得手段によって取得された前記処方箋のデータと、前記検査結果データ取得手段によって取得された検査値のデータとを併せて処方箋に出力する処方箋出力手段と、
を備えることを特徴とする医療情報提供装置。
【請求項９】
患者に関する情報を表す患者情報領域と、
処方箋を発行した医療機関を表す医療機関情報領域と、
処方された薬剤に関わらず複数の患者に共通する検査値である固定検査値のデータを表す固定検査値領域と、
前記患者に処方された薬剤のうち、処方に際して検査を要する薬剤に関連する検査値である医薬品別検査値のデータを、当該患者の過去の推移を識別して表す医薬品別検査値領域と、
を含むことを特徴とする医療情報提供媒体。
【請求項１０】
複数種類の薬剤の添付文書のデータ及び内臓機能の低下に関する処方のガイドラインを示す文書のデータの少なくともいずれかから、処方に際して検査を要する薬剤の検査に関する情報を抽出する薬剤検査情報抽出ステップと、
前記薬剤検査情報抽出ステップにおいて抽出された前記薬剤の検査に関する情報と当該薬剤とが対応付けて格納された薬剤検査情報データベースを生成するデータベース生成ステップと、
前記データベース生成ステップにおいて生成された前記薬剤検査情報データベースを参照し、対象とする薬剤の検査に関する情報を提供する薬剤検査情報提供ステップと、
を含むことを特徴とする医療情報提供方法。
【請求項１１】
患者に関する処方箋のデータを取得する処方箋情報取得ステップと、
処方に際して検査を要する薬剤の検査に関する情報が格納された薬剤検査情報データベースを検索することにより、前記処方箋のデータにおいて処方に際して検査を要する薬剤が含まれているか否かを確認する薬剤検査情報確認ステップと、
前記処方箋のデータにおいて処方に際して検査を要する薬剤が含まれている場合に、当該薬剤に関連する検査項目の検査値のデータを取得する検査結果データ取得ステップと、
前記処方箋情報取得ステップにおいて取得された前記処方箋のデータと、前記検査結果データ取得ステップにおいて取得された検査値のデータとを併せて処方箋に出力する処方箋出力ステップと、
を含むことを特徴とする医療情報提供方法。
【請求項１２】
コンピュータに、
複数種類の薬剤の添付文書のデータ及び内臓機能の低下に関する処方のガイドラインを示す文書のデータの少なくともいずれかから、処方に際して検査を要する薬剤の検査に関する情報を抽出する薬剤検査情報抽出機能と、
前記薬剤検査情報抽出機能によって抽出された前記薬剤の検査に関する情報と当該薬剤とが対応付けて格納された薬剤検査情報データベースを生成するデータベース生成機能と、
前記データベース生成機能によって生成された前記薬剤検査情報データベースを参照し、対象とする薬剤の検査に関する情報を提供する薬剤検査情報提供機能と、
を実現させることを特徴とするプログラム。
【請求項１３】
コンピュータに、
患者に関する処方箋のデータを取得する処方箋情報取得機能と、
処方に際して検査を要する薬剤の検査に関する情報が格納された薬剤検査情報データベースを検索することにより、前記処方箋のデータにおいて処方に際して検査を要する薬剤が含まれているか否かを確認する薬剤検査情報確認機能と、
前記処方箋のデータにおいて処方に際して検査を要する薬剤が含まれている場合に、当該薬剤に関連する検査項目の検査値のデータを取得する検査結果データ取得機能と、
前記処方箋情報取得機能によって取得された前記処方箋のデータと、前記検査結果データ取得機能によって取得された検査値のデータとを併せて処方箋に出力する処方箋出力機能と、
を実現させることを特徴とするプログラム。
【発明の詳細な説明】
【技術分野】
【０００１】
本発明は、医療情報提供システム、サーバ、医療情報提供装置、医療情報提供媒体、医療情報提供方法及びプログラムに関する。
【背景技術】
【０００２】
従来、薬剤の適切な使用を目的として、薬剤の処方に関する情報を提供するシステムが知られている。
例えば、特許文献１に記載された医薬品適正使用モニタリングシステムでは、医薬品を安全に使用するために必要な重要情報（相互作用、副作用、禁忌症等）が、一覧画面によって、処方医薬品の適正使用のために考慮されるべき程度（重要度）に従い、表示色が異なるように表示される。
【先行技術文献】
【特許文献】
【０００３】
【特許文献１】特開２００２−１９７１８８号公報
【発明の概要】
【発明が解決しようとする課題】
【０００４】
ここで、薬剤の中には、処方に際して所定の検査を要するものが存在し、医師あるいは薬剤師は、このような薬剤が処方される場合、必要な検査が確実に行われるよう注意することが求められる。また、処方鑑査において、薬剤師は、処方された薬剤の中に、処方に際して所定の検査を要するものがあるか否かを確実に把握した上で、質の高い処方鑑査を行うことが求められる。
しかしながら、上述の医薬品適正使用モニタリングシステムは、処方に際して所定の検査を要する薬剤を判別するものではない。そのため、処方に際して所定の検査を要する薬剤であるか否かについては、医師あるいは薬剤師が添付文書等を逐次確認する必要がある。ところが、薬剤の種類は数万種類に及ぶことから、医師の処方時または薬剤師の調剤時等に、処方される薬剤が所定の検査を要するものであるか否かを逐次確認することは容易ではない。そのため、医師あるいは薬剤師の作業効率の低下、検査の実行の確実性あるいは処方鑑査の質の担保といった点で問題がある。
このように、従来の技術においては、処方される薬剤が患者における検査を要するものであるか否かを容易に確認することができなかった。
【０００５】
本発明の課題は、処方される薬剤が患者における検査を要するものであるか否かをより容易に確認可能とすることである。
【課題を解決するための手段】
【０００６】
上記課題を解決するため、本発明の一態様の医療情報提供システムは、
通信可能に構成された端末装置とサーバとを含む医療情報提供システムであって、
前記サーバは、
複数種類の薬剤の添付文書のデータ及び内臓機能の低下に関する処方のガイドラインを示す文書のデータの少なくともいずれかから、処方に際して検査を要する薬剤の検査に関する情報を抽出する薬剤検査情報抽出手段と、
前記薬剤検査情報抽出手段によって抽出された前記薬剤の検査に関する情報と当該薬剤とが対応付けて格納された薬剤検査情報データベースを生成するデータベース生成手段と、
前記端末装置からの要求に応じて、前記データベース生成手段によって生成された前記薬剤検査情報データベースを参照し、対象とする薬剤の検査に関する情報を前記端末装置に提供する薬剤検査情報提供手段と、
を備えることを特徴とする。
【発明の効果】
【０００７】
本発明によれば、処方される薬剤が患者における検査を要するものであるか否かをより容易に確認できる。
【図面の簡単な説明】
【０００８】
【図１】本発明の一実施形態に係る医療情報提供システム１のシステム構成を示す図である。
【図２】医療情報提供システム１に含まれる各装置の具体的構成を示すブロック図である。
【図３】本実施形態において出力される処方箋（院外処方箋）Ｐの一例を示す模式図である。
【図４】薬剤検査情報ＤＢ２２ｂのデータ内容を示す模式図である。
【図５】端末装置１０が実行する処方箋出力処理の流れを示すフローチャートである。
【図６】薬剤検査情報ＤＢサーバ２０が実行する薬剤検査情報ＤＢ生成処理の流れを示すフローチャートである。
【図７】薬剤検査情報ＤＢサーバ２０が実行する薬剤検査情報ＤＢ更新処理の流れを示すフローチャートである。
【図８】医療情報提供システム１をより高度にクラウド化したシステム構成の一例を示す図である。
【図９】医療情報提供システム１を単体の情報処理装置によって実現する場合の構成を示す模式図である。
【発明を実施するための形態】
【０００９】
以下、本発明の実施形態について図面を参照して説明する。
【００１０】
［医療情報提供システム１のシステム構成］
図１は、本発明の一実施形態に係る医療情報提供システム１のシステム構成を示す図である。
本実施形態においては、医療情報提供システム１が処方箋（ここでは院外処方箋とする）を発行する処方箋発行システムとして構成された場合を例として説明する。
図１に示すように、医療情報提供システム１は、端末装置１０と、薬剤検査情報データベースサーバ（薬剤検査情報ＤＢサーバ）２０と、を含んで構成され、端末装置１０と薬剤検査情報ＤＢサーバ２０とは、ＶＰＮ（Ｖｉｒｔｕａｌ  Ｐｒｉｖａｔｅ  Ｎｅｔｗｏｒｋ）等のネットワークによって通信可能に構成されている。本実施形態において、薬剤検査情報ＤＢサーバ２０は、クラウドサーバとして構成することができる。ただし、薬剤検査情報ＤＢサーバ２０は、専用の物理サーバとして構成することも可能である。
【００１１】
端末装置１０は、ＰＣ（Ｐｅｒｓｏｎａｌ  Ｃｏｍｐｕｔｅｒ）等の情報処理装置によって構成される。また、端末装置１０は、病院において患者や薬剤等の医療情報に関する情報を管理する各種システム（以下、「病院内システム」と呼ぶ。）とＶＰＮ等のネットワークと接続されている。
端末装置１０は、医師または処方箋発行の担当者によって操作され、診療が終了した患者について院外処方箋を発行するための操作を受け付ける。院外処方箋を発行するための操作が行われると、端末装置１０は、当該患者に関する処方箋のデータを取得し、処方箋のデータに含まれる薬剤が処方に際して検査を要する薬剤（ここでは、臓器の機能の低下により投与量の調整が必要となる薬剤を含むものとする。）であるか否かの検索要求を薬剤検査情報ＤＢサーバ２０に送信する。そして、処方に際して検査を要する薬剤については、病院内システムから当該患者の検査値のデータを取得し、処方箋のデータに検査値のデータを付加する。端末装置１０は、このように検査値のデータが付加された処方箋のデータを紙媒体に印刷すること等により、院外処方箋を出力する。
なお、院外処方箋の出力形態としては、紙媒体に印刷することの他、予め定められたフォーマットの電子データとして出力したり、不揮発性のディスプレイ（電子ペーパー等）に表示したりすることも可能である。また、院外処方箋を出力する場合、検査項目あるいは検査値のデータを文字列で表すことの他、１次元または２次元のバーコードで表すことも可能である。この場合、患者あるいは薬局の端末等でバーコードを読み取ることにより、検査項目あるいは検査値の文字列を表示させることができる。具体的には、検査項目あるいは検査値のデータが患者自身または第三者の目に直接触れることの適切性を考慮し、検査項目あるいは検査値データの一部または全てをバーコードで表すことが可能である。
【００１２】
薬剤検査情報ＤＢサーバ２０は、各種薬剤について、添付文書のデータや処方に関するガイドラインのデータ等、薬剤が処方に際して検査を要するか否か及びその検査値の基準値または基準範囲が含まれる文書のデータを参照し、処方に際して検査を要する薬剤の一覧を示す薬剤検査情報データベース（薬剤検査情報ＤＢ）を自動的に生成する。なお、処方に際して検査を要する薬剤については、検査値の基準値（閾値）が設定されており、検査値の基準値が１つの場合、その基準値を境界として、より大きい範囲またはより小さい範囲が、薬剤の処方に適合する範囲（以下、「基準範囲」と呼ぶ。）となる。一方、検査値の基準値が範囲として設定されている（即ち、上限及び下限の閾値が設定されている）場合、これらの閾値に挟まれる範囲が基準範囲となる。薬剤検査情報ＤＢサーバ２０には、処方に際して検査を要する薬剤について、その基準範囲が格納される。そして、薬剤検査情報ＤＢサーバ２０は、端末装置１０から薬剤について、処方に際して検査を要する薬剤であるか否かの検索要求を受信すると、薬剤検査情報ＤＢを検索し、検索要求が行われた薬剤が処方に際して検査を要するものであるか否か、検査を要するものである場合には、検査項目及び検査値の基準範囲等を含む検索結果のデータを送信する。
【００１３】
［各装置の具体的構成］
次に、医療情報提供システム１における各装置の具体的構成について説明する。
図２は、医療情報提供システム１に含まれる各装置の具体的構成を示すブロック図である。
【００１４】
［端末装置１０の具体的構成］
図２に示すように、医療情報提供システム１において、端末装置１０は、ハードウェア構成として、各種演算処理を行う制御部１１と、各種情報を記憶する記憶部１２と、キーボードやタッチパネル等により実現される入力部１３と、ディスプレイを含む表示部１４と、ネットワークを介して他の装置との間で行う通信を制御する通信部１５と、画像を撮像する撮像部１６とを備える。このような端末装置１０は、各種プログラムが記憶部１２にインストールされており、制御部１１がこれらプログラムに従い動作することで、院外処方箋の発行機能等を発揮する。
また、端末装置１０は、このようなハードウェア構成において、後述する処方箋出力処理のためのプログラムが実行されることにより、制御部１１に、処方箋情報取得部１１ａと、薬剤検査情報確認部１１ｂと、検査結果データ取得部１１ｃと、処方箋出力部１１ｄとが実現される。
【００１５】
処方箋情報取得部１１ａは、入力部１３を介した処方箋の発行を指示する操作に応じて、処方箋の発行対象となる患者の処方箋のデータを取得する。このとき、処方箋情報取得部１１ａは、電子カルテシステム等の病院内システムから、医師によって作成された処方箋のデータを取得したり、入力部１３を介して処方箋のデータの入力を受け付けたりすることによって、処方箋のデータを取得する。なお、処方箋情報取得部１１ａが、医師によって電子カルテに記入された処方医薬品のデータを自動的に抽出することにより、処方箋のデータを取得することとしてもよい。
【００１６】
薬剤検査情報確認部１１ｂは、処方箋情報取得部１１ａによって取得された処方箋のデータに含まれる各薬剤について、処方に際して検査を要する薬剤として、薬剤検査情報ＤＢに記憶されているか否かの確認を行う。具体的には、薬剤検査情報確認部１１ｂは、処方箋のデータに含まれる各薬剤の名称をキーとして、薬剤検査情報ＤＢを検索する検索要求を薬剤検査情報ＤＢサーバ２０に送信する。そして、薬剤検査情報確認部１１ｂは、薬剤検査情報ＤＢサーバ２０から送信された検索結果を取得する。
【００１７】
検査結果データ取得部１１ｃは、薬剤検査情報確認部１１ｂによって取得された薬剤検査情報ＤＢサーバ２０の検索結果を参照し、検索要求を行った各薬剤の中に、処方に際して検査を要する薬剤が含まれている場合、その処方箋に対応する患者について、その検査に関する検査値（以下、「医薬品別検査値」と呼ぶ。）のデータを病院内システムから取得する。本実施形態において、検査結果データ取得部１１ｃは、病院内システムから、検査値のデータを取得する場合、その患者について、過去の所定回数（ここでは３回とする）のデータを併せて取得する。ただし、検査の種類によって、検査値には有効期間が設定されており、検査結果データ取得部１１ｃは、有効期間内のデータのみを病院内システムから取得する。
また、検査結果データ取得部１１ｃは、処方箋が発行される場合、全患者に共通の予め設定された検査項目に関する検査値（以下、「固定検査値」と呼ぶ。）のデータを各患者について病院内システムから取得する。なお、固定検査値は、薬剤の処方により重篤副作用を引き起こす疾患に関連する検査値が選択されたものである。
【００１８】
処方箋出力部１１ｄは、処方箋情報取得部１１ａによって取得された処方箋のデータと、検査結果データ取得部１１ｃによって取得された固定検査値及び医薬品別検査値のデータとを統合し、対象となる患者について、処方された薬剤と、当該薬剤において処方に際して検査を要するものについては、その検査項目と、その患者の検査値のデータとが併せて表された処方箋を出力する。
【００１９】
図３は、本実施形態において出力される処方箋（院外処方箋）Ｐの一例を示す模式図である。
図３に示すように、本実施形態において出力される処方箋Ｐは、患者に関する情報を表す患者情報領域Ｐ１と、処方箋Ｐを発行した医療機関を表す医療機関情報領域Ｐ２と、固定検査値のデータを表す固定検査値領域Ｐ３と、医薬品別検査値のデータを表す医薬品別検査値領域Ｐ４とを含んでいる。
【００２０】
患者情報領域Ｐ１には、患者の氏名、年齢、性別、住所、保険の区分等、当該患者に関する各種情報が表されている。
医療機関情報領域Ｐ２には、処方箋Ｐを発行した医療機関名、問い合わせ先等、処方箋を発行した医療機関に関する各種情報が表されている。
固定検査値領域Ｐ３には、全患者に共通の検査項目に関する検査値のデータが一覧表示されている。固定検査値としては、例えば、ＡＳＴ、ＡＬＴ、ＡＬＰ、Ｔ−ＢＩＬ、ＣＲＥ、ｅＧＦＲ、Ｃｙｓ−Ｃ、Ｋ、ＣＰＫ、ＷＢＣ、ＨＧＢ、ＰＬＴ、ＳＥＧ、ＳＴ、ＴＳＨ、ＨｂＡ１Ｃ等の検査項目の全てまたは一部を設定することができる。これら固定検査値としては、自覚症状で早期発見できない副作用及び自覚症状よりも先に臨床検査値が変動する副作用に関連する検査値を選択することが有効である。
【００２１】
医薬品別検査値領域Ｐ４には、処方に際して検査を要する薬剤に関する検査値のデータが一覧表示されている。例えば、医薬品別検査値領域Ｐ４には、処方に際して検査を要する薬剤の薬剤名「Ａ錠  １７．５ｍｇ」と、その検査項目の分類（コードユニット名）及び検査値のデータ「腎機能  ｛ｅＧＦＲ，ＣＲＥ，Ｃｙｓ−Ｃ｝」、「ＣＡ  ８．５」、「ＡＬＢ  ３．５」と、検査値の推移を示す記号「−」、「Ｌ」あるいは「Ｈ」とが対応付けて表されている。なお、検査値の推移を示す記号において、「−」は基準範囲内であることを示し、「Ｌ」は基準範囲を下回っていることを示し、「Ｈ」は基準範囲を上回っていることを示している。そして、本実施形態における処方箋Ｐでは、前々回の検査値、前回の検査値、今回（直近）の検査値の順で、左から右に各検査値の推移が示される。例えば、検査値の推移が「−−Ｌ」と示されている場合、前々回及び前回は検査値が基準範囲内であると共に、直近の検査において、検査値が基準範囲を下回ったことを示している。医薬品別検査値領域Ｐ４において、処方に検査を要する薬剤の検査値のデータが基準範囲にない場合には、その検査項目を特定の形態で表す（赤字で示す、あるいは、下線を付す等）こととしてもよい。
このように、過去の検査値の推移を処方箋Ｐに表すことにより、患者の状態をより適確に判断することが可能となり、より適切に薬剤の処方を行うことが可能となる。
【００２２】
また、本実施形態における処方箋Ｐでは、検査項目の分類として、一部の検査項目については、複数の検査項目の組み合わせを表すコードユニット名が表されている。例えば、「ｅＧＦＲ」、「ＣＲＥ」、「Ｃｙｓ−Ｃ」の３つの検査項目の組み合わせは、複数の薬剤について検査項目として挙げられる頻度が高いため、検査項目の分類「腎機能」に対応する検査項目の組み合わせとして表されている。なお、これら組み合わせとして表される検査項目の検査値のデータは、例えば固定検査値として表される等、他の箇所において表されている。ただし、検査項目の組み合わせを表す場合に、それらの検査値のデータを併せて表すことが可能である。さらに、組み合わせに含まれる検査項目の検査値のデータを表すことに代えて（または検査値のデータと共に）、上述の検査値の推移を示す記号「−」、「Ｌ」あるいは「Ｈ」を表し、検査値のデータが基準範囲にない場合には、その検査項目を特定の形態で表す（赤字で示す、あるいは、下線を付す等）ことが可能である。
このように検査項目の組み合わせを表すコードユニット名を用いることにより、例えば３行を要する検査項目の記載を１行で表すことが可能となり、記載スペースが大きくない処方箋の領域において、効率的に検査値のデータを表すことができる。
なお、検査項目あるいは検査値のデータをバーコードで表す場合、固定検査値領域Ｐ３あるいは医薬品別検査値領域Ｐ４の一方または両方をバーコードで表したり、固定検査値領域Ｐ３及び医薬品別検査値領域Ｐ４の中の特定の検査項目あるいは検査値のデータをバーコードで表したりすることが可能である。
【００２３】
［薬剤検査情報ＤＢサーバ２０の具体的構成］
図２に示すように、医療情報提供システム１において、薬剤検査情報ＤＢサーバ２０は、ハードウェア構成として、各種演算処理を行う制御部２１と、各種情報を記憶する記憶部２２と、キーボード等により実現される入力部２３と、ディスプレイを含む表示部２４と、ネットワークを介して他の装置との間で行う通信を制御する通信部２５とを備える。このような薬剤検査情報ＤＢサーバ２０は、各種プログラムが記憶部２２にインストールされており、制御部２１がこれらプログラムに従い動作することで、薬剤検査情報ＤＢの生成機能、薬剤検査情報ＤＢの更新機能あるいは薬剤検査情報ＤＢの検索機能を発揮する。
また、薬剤検査情報ＤＢサーバ２０は、このようなハードウェア構成において、後述する薬剤検査情報ＤＢ生成処理あるいは薬剤検査情報ＤＢ更新処理等のためのプログラムが実行されることにより、制御部２１に、薬剤文書情報取得部２１ａと、項目別条件設定部２１ｂと、例外情報取得部２１ｃと、薬剤検査情報抽出部２１ｄと、データベース管理部２１ｅとが実現される。また、薬剤検査情報ＤＢサーバ２０の記憶部２２には、薬剤文書データ記憶部２２ａと、薬剤検査情報ＤＢ２２ｂと、例外情報記憶部２２ｃとが記憶されている。
【００２４】
薬剤文書データ記憶部２２ａには、各種薬剤に関する添付文書のデータを蓄積する外部のデータベース（製薬メーカーや公的機関等のデータベース等）から取得された各種薬剤に関する添付文書のデータや、臓器（腎臓等）の機能の低下に関する処方のガイドライン（例えば、日本腎臓学会編  ＣＫＤ（Ｃｈｒｏｎｉｃ  Ｋｉｄｎｅｙ  Ｄｉｓｅａｓｅ）診療ガイド等）のデータを蓄積する外部のデータベースから取得されたガイドラインの文書のデータが記憶される。なお、薬剤文書データ記憶部２２ａに記憶された各種文書のデータは、取得先のデータベースにおいて更新が行われた場合、それに対応して更新される。
【００２５】
薬剤検査情報ＤＢ２２ｂは、添付文書及び臓器の機能の低下に関する処方のガイドラインにおいて言及されている各種薬剤について、当該薬剤の処方に対して必要な検査の項目と、検査値の基準範囲のデータとを対応付けて記憶している。
図４は、薬剤検査情報ＤＢ２２ｂのデータ内容を示す模式図である。
図４に示すように、薬剤検査情報ＤＢ２２ｂには、薬剤固有のコードである薬剤コードと、薬剤の名称（商品名あるいは一般名）と、添付文書あるいはガイドラインにおいて抽出された検査項目を示す文字列（検査項目）と、その文字列が抽出された添付文書の段落名あるいはガイドライン名と、検査項目の分類を表すコードユニット名と、検査値の基準範囲を表す基準範囲データとが対応付けて記憶されている。
例えば、図４における薬剤検査情報ＤＢ２２ｂの第１行には、薬剤コード「ｘｘｘｘｘｘ」、薬剤名「Ｃ液注射用」の薬剤について、「高カリウム血症」という文字列が「禁忌」の段落から抽出され、コードユニットとして「Ｋ」（カリウム）、検査値の基準範囲として「３．５〜４．８ｍＥｑ／Ｌ」が抽出された結果が格納されている。
これら薬剤検査情報ＤＢ２２ｂの各データは、後述する薬剤検査情報ＤＢ生成処理によって、自動的に生成される。なお、自動的に生成された薬剤検査情報ＤＢ２２ｂの内容を医師あるいは薬剤師等の専門家が承認することにより、データベースの内容を確定することとしてもよい。
【００２６】
例外情報記憶部２２ｃには、製薬メーカーや公的機関等から逐次発行される薬剤の処方に関する例外情報が記憶される。例えば、独立行政法人医薬品医療機器総合機構から発行される緊急安全性情報や安全性速報のメール等、添付文書やガイドラインに記載されていない安全性に関する情報（例外的な安全性情報）が、例外情報として、例外情報記憶部２２ｃに記憶される。
なお、例外情報記憶部２２ｃに記憶された例外情報の内容が、添付文書やガイドラインに更新等により含まれることとなった場合、例外情報記憶部２２ｃに記憶された当該例外情報は、例外情報取得部２１ｃによって逐次削除される。
【００２７】
薬剤文書情報取得部２１ａは、各種薬剤に関する添付文書のデータを蓄積する外部のデータベース（製薬メーカーや公的機関等のデータベース）や、臓器の機能の低下に関する処方のガイドラインの文書のデータを蓄積する外部のデータベースから各種薬剤に関する添付文書のデータ及びガイドラインの文書のデータを取得する。本実施形態において、薬剤文書情報取得部２１ａは、所定のタイミングで（例えば、１ヶ月に１度等の所定の期間毎あるいは特定の指示が入力された場合に）、外部のデータベースにアクセスし、添付文書のデータやガイドラインの文書のデータを取得する。
【００２８】
項目別条件設定部２１ｂは、添付文書及びガイドラインの文書のデータを対象として、各薬剤についての検査項目あるいは検査値の基準値または基準範囲の文字列を抽出するための抽出条件を、添付文書及びガイドラインの項目（用法・用量、あるいは禁忌等）毎に設定する。例えば、添付文書の場合、「用法・用量」、「警告」、「禁忌」、「薬物動態」等の項目毎に、抽出条件が設定される。なお、ここで設定される抽出条件は、例えば、抽出される単語（文字列）と、その単語と関連性を有する所定の単語と、これらの単語の間の文字間隔（抽出される単語と、所定の単語とが有する関係）とを含むことができる。このように設定された抽出条件は、項目毎の辞書として記憶部２２等の所定の記憶領域に保存される。項目別条件設定部２１ｂにおいて、添付文書及びガイドラインの項目毎に抽出条件が設定されることにより、各項目の記載の特徴を反映したより適切な抽出条件を設定することが可能となる。また、抽出条件に、抽出される単語（文字列）と、その単語と関連性を有する所定の単語と、これらの単語の間の文字間隔（抽出される単語と、所定の単語とが有する関係）とが含まれることにより、添付文書及びガイドラインの文書のデータに含まれる検査項目あるいは検査値の基準値または基準範囲を自動的に適切に抽出することが可能となる。
【００２９】
例外情報取得部２１ｃは、製薬メーカーや公的機関等から逐次発行される薬剤の処方に関する例外情報（例外的な安全性情報）を逐次取得し、例外情報記憶部２２ｃに記憶する。また、例外情報取得部２１ｃは、例外情報記憶部２２ｃに記憶された例外情報の内容が、添付文書やガイドラインに更新等により含まれることとなった場合、例外情報記憶部２２ｃに記憶された当該例外情報を逐次削除する。
【００３０】
薬剤検査情報抽出部２１ｄは、薬剤検査情報ＤＢを生成するために、薬剤文書データ記憶部２２ａに記憶された各薬剤の添付文書及びガイドラインの文書のデータを取得し、項目別条件設定部２１ｂによって設定された項目毎の抽出条件に従って、各薬剤についての検査項目及び検査値の基準値または基準範囲の文字列を抽出する。このとき、薬剤検査情報抽出部２１ｄは、例外情報記憶部２２ｃに記憶された例外情報を適宜参照し、薬剤文書データ記憶部２２ａに記憶された各種文書のデータに含まれていない検査項目及び検査値の基準値または基準範囲の文字列が存在すれば、これらを文字列の抽出結果に追加する。これにより、薬剤検査情報ＤＢの更新前に発行された安全性に関する情報を含めて、処方に際して検査を要する薬剤の検査項目及び検査値の基準値または基準範囲を検索することが可能となる。
【００３１】
そして、薬剤検査情報抽出部２１ｄは、各薬剤についての検査項目及び検査値の基準値または基準範囲の文字列の抽出結果に基づいて、抽出した検査項目を、検査項目の分類を表すコードユニット名に変換する。さらに、薬剤検査情報抽出部２１ｄは、薬剤固有のコードである薬剤コードと、薬剤の名称（商品名あるいは一般名）と、添付文書あるいはガイドラインにおいて抽出された検査項目を示す文字列（検査項目）と、その文字列が抽出された添付文書の段落名あるいはガイドライン名と、検査項目の分類を表すコードユニット名と、検査値の基準範囲を表す基準範囲データとを対応付けて、薬剤検査情報ＤＢに格納する。
【００３２】
データベース管理部２１ｅは、端末装置１０からの検索要求を受信した場合に、検索要求において指定された薬剤の名称をキーとして、薬剤検査情報ＤＢを検索し、検索結果を端末装置に送信する。
【００３３】
［動作］
次に、医療情報提供システム１の動作を説明する。
［端末装置１０の処理］
【００３４】
図５は、端末装置１０が実行する処方箋出力処理の流れを示すフローチャートである。
処方箋出力処理は、入力部１３を介して処方箋出力処理の実行が指示入力されることに対応して開始される。
【００３５】
処方箋出力処理が開始されると、ステップＳ１において、処方箋情報取得部１１ａは、処方箋の発行対象となる患者の処方箋のデータを取得する。
ステップＳ２において、薬剤検査情報確認部１１ｂは、処方箋のデータに含まれる薬剤の名称を取得する。
ステップＳ３において、薬剤検査情報確認部１１ｂは、処方箋のデータに含まれる薬剤の名称をキーとして、薬剤検査情報ＤＢを検索する検索要求を薬剤検査情報ＤＢサーバ２０に送信し、薬剤検査情報ＤＢサーバ２０における検索結果を取得する。なお、薬剤検査情報確認部１１ｂが薬剤検査情報ＤＢに検索要求を送信する場合、薬剤の名称をキーとすることの他、薬剤を一意に特定可能な情報をキーとすることが可能であり、例えば薬剤コードをキーとすること等が可能である。
【００３６】
ステップＳ４において、検査結果データ取得部１１ｃは、薬剤検査情報確認部１１ｂによって取得された薬剤検査情報ＤＢサーバ２０の検索結果を参照し、検索要求を行った各薬剤の中に、処方に際して検査を要する薬剤が含まれているか否かの判定を行う。
検索要求を行った各薬剤の中に、処方に際して検査を要する薬剤が含まれている場合、ステップＳ４においてＹＥＳと判定されて、処理はステップＳ５に移行する。
一方、検索要求を行った各薬剤の中に、処方に際して検査を要する薬剤が含まれていない場合、ステップＳ４においてＮＯと判定されて、処理はステップＳ６に移行する。
【００３７】
ステップＳ５において、検査結果データ取得部１１ｃは、その処方箋に対応する患者について、処方に際して検査を要する薬剤の医薬品別検査値のデータを病院内システムから取得し、処方箋のデータに付加する。
【００３８】
ステップＳ６において、薬剤検査情報確認部１１ｂは、処方箋のデータに含まれる全ての薬剤について、薬剤検査情報ＤＢの検索が終了したか否かの判定を行う。
処方箋のデータに含まれる全ての薬剤について、薬剤検査情報ＤＢの検索が終了した場合、ステップＳ６においてＹＥＳと判定されて、処理はステップＳ７に移行する。
一方、処方箋のデータに含まれる全ての薬剤について、薬剤検査情報ＤＢの検索が終了していない場合、ステップＳ６においてＮＯと判定されて、処理はステップＳ２に移行する。
ステップＳ７において、検査結果データ取得部１１ｃは、その処方箋に対応する患者について、固定検査値のデータを病院内システムから取得し、処方箋のデータに付加する。
ステップＳ８において、処方箋出力部１１ｄは、処方箋情報取得部１１ａによって取得された処方箋のデータと、検査結果データ取得部１１ｃによって取得された固定検査値及び医薬品別検査値のデータとを統合し、処方箋を出力する（図３参照）。
ステップＳ８の後、処方箋出力処理は終了となる。
【００３９】
このような処理により、処方箋のデータにおいて、処方に際して検査を要する薬剤が含まれる場合に、その薬剤について必要な検査項目及び検査値の基準範囲が薬剤検査情報ＤＢから取得されると共に、その検査項目の検査値のデータが病院内システムから取得され、対象となる患者の処方箋において併せて提示することが可能となる。
即ち、医療情報提供システム１によれば、処方される薬剤が患者における検査を要するものであるか否かをより容易に確認することが可能となる。
したがって、医療情報提供システム１によれば、処方に際して検査を要する薬剤について、必要な検査をより確実に実行することが可能となる。
また、処方に際して検査を要する薬剤が処方箋において表され、当該患者における検査値が表されていることから、その薬剤を処方することが適切であるか否かについて、処方鑑査を行う薬剤師が明確に判定することが可能となる。これにより、薬剤師から医療機関に対して疑義照会を行う契機を与えることができると共に、疑義照会の根拠をより確実なものとすることができる。
したがって、医療情報提供システム１によれば、薬剤師による処方鑑査の質の向上（薬学的管理の向上）を図ることができる。
【００４０】
［薬剤検査情報ＤＢサーバ２０の処理］
図６は、薬剤検査情報ＤＢサーバ２０が実行する薬剤検査情報ＤＢ生成処理の流れを示すフローチャートである。
薬剤検査情報ＤＢ生成処理は、入力部２３を介して薬剤検査情報ＤＢ生成処理の実行が指示入力されることに対応して、あるいは、後述する薬剤検査情報ＤＢ更新処理において実行が指示されることに対応して開始される。
【００４１】
薬剤検査情報ＤＢ生成処理が開始されると、ステップＳ１１において、薬剤文書情報取得部２１ａは、各種薬剤に関する添付文書のデータを蓄積する外部のデータベース（製薬メーカーや公的機関等のデータベース）や、臓器の機能の低下に関する処方のガイドラインのデータを蓄積する外部のデータベースから各種薬剤に関する添付文書のデータ及びガイドラインの文書のデータを取得する。
ステップＳ１２において、項目別条件設定部２１ｂは、添付文書及びガイドラインの文書を対象として、各薬剤についての検査項目あるいは検査値の基準値または基準範囲の文字列を抽出するための抽出条件を、添付文書及びガイドラインの項目（用法・用量、あるいは禁忌等）毎に設定する。なお、各薬剤についての検査項目あるいは検査値の基準値または基準範囲の文字列を抽出するための抽出条件は、予め設定して設定ファイルとして保存しておき、この設定ファイルを読み出すこととしてもよい。
【００４２】
ステップＳ１３において、薬剤検査情報抽出部２１ｄは、薬剤検査情報ＤＢを生成するために、薬剤文書データ記憶部２２ａに記憶された各薬剤の添付文書及びガイドラインの文書のデータを取得する。
ステップＳ１４において、薬剤検査情報抽出部２１ｄは、項目別条件設定部２１ｂによって設定された項目毎の抽出条件に従って、各薬剤についての検査項目及び検査値の基準値または基準範囲の文字列を抽出する。このとき、薬剤検査情報抽出部２１ｄは、例外情報記憶部２２ｃに記憶された例外情報を適宜参照し、薬剤文書データ記憶部２２ａに記憶された各種文書のデータに含まれていない検査項目及び検査値の基準値または基準範囲の文字列が存在すれば、これらを文字列の抽出結果に追加する。
【００４３】
ステップＳ１５において、薬剤検査情報抽出部２１ｄは、各薬剤についての検査項目及び検査値の基準値または基準範囲の文字列が抽出されたか否かの判定を行う。
各薬剤についての検査項目及び検査値の基準値または基準範囲の文字列が抽出された場合、ステップＳ１５においてＹＥＳと判定されて、処理はステップＳ１６に移行する。
一方、各薬剤についての検査項目及び検査値の基準値または基準範囲の文字列が抽出されない場合、ステップＳ１５においてＮＯと判定されて、処理はステップＳ１８に移行する。
ステップＳ１６において、薬剤検査情報抽出部２１ｄは、抽出した検査項目を、検査項目の分類を表すコードユニット名に変換する。
【００４４】
ステップＳ１７において、薬剤検査情報抽出部２１ｄは、薬剤固有のコードである薬剤コードと、薬剤の名称（商品名あるいは一般名）と、添付文書あるいはガイドラインにおいて抽出された検査項目を示す文字列（検査項目）と、その文字列が抽出された添付文書の段落名あるいはガイドライン名と、検査項目の分類を表すコードユニット名と、検査値の基準範囲を表す基準範囲データとを対応付けて、薬剤検査情報ＤＢに格納する。
【００４５】
ステップＳ１８において、薬剤検査情報抽出部２１ｄは、薬剤文書データ記憶部２２ａに記憶された各薬剤の添付文書及びガイドラインの文書のデータの全てについて、処理が終了したか否かの判定を行う。
薬剤文書データ記憶部２２ａに記憶された各薬剤の添付文書及びガイドラインの文書のデータの全てについて、処理が終了していない場合、ステップＳ１８においてＮＯと判定されて、処理はステップＳ１３に移行する。
一方、薬剤文書データ記憶部２２ａに記憶された各薬剤の添付文書及びガイドラインの文書のデータの全てについて、処理が終了した場合、ステップＳ１８においてＹＥＳと判定されて、薬剤検査情報ＤＢ生成処理は終了となる。
【００４６】
このような処理により、添付文書あるいはガイドラインの文書のデータにおいて、処方に際して検査を要する薬剤を抽出し、その検査項目及び検査値の基準範囲を含む薬剤検査情報ＤＢを自動的に生成することが可能となる。そのため、薬剤検査情報ＤＢを人手によって生成する場合に比べ、データベースを生成するための時間及び労力を軽減することができると共に、より正確な内容のデータベースを効率的に生成することが可能となる。
【００４７】
次に、薬剤検査情報ＤＢサーバ２０が実行する薬剤検査情報ＤＢ更新処理について説明する。
図７は、薬剤検査情報ＤＢサーバ２０が実行する薬剤検査情報ＤＢ更新処理の流れを示すフローチャートである。
薬剤検査情報ＤＢ更新処理は、所定の期間毎等、予め設定されたタイミングで開始される。
【００４８】
薬剤検査情報ＤＢ更新処理が開始されると、ステップＳ２１において、薬剤文書情報取得部２１ａは、各種薬剤に関する添付文書のデータを蓄積する外部のデータベース（製薬メーカーや公的機関等のデータベース）や、臓器の機能の低下に関する処方のガイドラインのデータを蓄積する外部のデータベースにおいて、バージョンの更新があるか否かの判定を行う。
バージョンの更新がある場合、ステップＳ２１においてＹＥＳと判定されて、処理はステップＳ２２に移行する。
一方、バージョンの更新がない場合、ステップＳ２２においてＮＯと判定されて、薬剤検査情報ＤＢ更新処理は終了となる。
【００４９】
ステップＳ２２において、薬剤文書情報取得部２１ａは、薬剤検査情報ＤＢ生成処理を実行する。
ステップＳ２３において、例外情報取得部２１ｃは、添付文書やガイドラインに更新等により含まれることとなった例外情報の内容を例外情報記憶部２２ｃから削除する。
ステップＳ２３の後、薬剤検査情報ＤＢ更新処理は終了となる。
このような処理により、薬剤検査情報ＤＢの内容が最新の状態に更新され、より適切な処方箋の出力を行うことが可能となる。
【００５０】
［変形例１］
上述の実施形態において、医療情報提供システム１をより高度にクラウド化したシステムとして実現することができる。
図８は、医療情報提供システム１をより高度にクラウド化したシステム構成の一例を示す図である。
図８に示すように、薬剤検査情報ＤＢサーバ２０をクラウド上に実現された仮想サーバとして構成し、薬剤について、処方に際して検査を要する薬剤であるか否かの検索要求を受け付けるためのＡＰＩ（Ａｐｐｌｉｃａｔｉｏｎ  Ｐｒｏｇｒａｍ  Ｉｎｔｅｒｆａｃｅ）を提供することができる。
この場合、プラットフォームが異なる各種の端末装置１０から、簡単に薬剤検査情報ＤＢサーバ２０の機能を利用することが可能となり、医療情報提供システム１が多くのユーザにとって利用し易いものとなる。
また、薬剤検査情報ＤＢサーバ２０をクラウド上に実現された仮想サーバとする場合、薬剤検査情報ＤＢサーバ２０の機能を分割し、機能ごとに仮想サーバを構成することができる。
例えば、図８に示すように、薬剤検査情報ＤＢサーバ２０の機能において、薬剤検査情報ＤＢを自動的に生成する機能、薬剤検査情報ＤＢの検索を行う機能、及び、薬剤検査情報ＤＢのメンテナンス（薬剤検査情報ＤＢの更新等）を行う機能のそれぞれを異なる仮想サーバによって構成することができる。
これにより、薬剤検査情報ＤＢサーバ２０に備えられる複数の機能を実質的に切り離すことができるため、使用される機能のみを稼働させ、使用されない機能は休止させる等、薬剤検査情報ＤＢサーバ２０を柔軟に運用することが可能となる。
さらに、薬剤検査情報ＤＢサーバ２０をクラウド上に実現された仮想サーバとする場合、薬剤検査情報ＤＢサーバ２０全体あるいは薬剤検査情報ＤＢサーバ２０における一部の機能を複数の仮想サーバによって重複して構成することも可能である。
例えば、薬剤検査情報ＤＢサーバ２０の機能において、端末装置１０からの検索要求の数の増加に応じて、あるいは、薬剤検査情報ＤＢサーバ２０の運用上の都合（メンテナンス等）に対応して、薬剤検査情報ＤＢの検索を行う機能等を複数の仮想サーバに重複させた構成とすることができる。
これにより、薬剤検査情報ＤＢサーバ２０に要求される処理能力や運用上の都合に応じて、適切に機能的な構成を変化させることができる。
なお、薬剤検査情報ＤＢサーバ２０に要求される処理能力を変化させる場合、薬剤検査情報ＤＢサーバ２０全体あるいは薬剤検査情報ＤＢサーバ２０における一部の機能を複数の仮想サーバによって重複させることの他、仮想サーバのスペックを変化させることも可能である。
【００５１】
［変形例２］
上述の実施形態及び変形例１においては、クラウド型の医療情報提供システム１を構築し、端末装置１０から薬剤検査情報ＤＢサーバ２０に検索要求を行って、処方に際して検査を要する薬剤であるか否かを確認するものとした。
これに対し、薬剤検査情報ＤＢを端末装置１０に備えることにより、医療情報提供システム１の機能を単体の情報処理装置で実現（即ち、スタンドアローン型のシステムとして実現）することとしてもよい。
この場合、薬剤検査情報ＤＢサーバ２０の薬剤文書情報取得部２１ａ、項目別条件設定部２１ｂ、例外情報取得部２１ｃ、薬剤検査情報抽出部２１ｄ、薬剤文書データ記憶部２２ａ、薬剤検査情報ＤＢ２２ｂ及び例外情報記憶部２２ｃの機能を端末装置１０に備えることとすればよい。
【００５２】
図９は、医療情報提供システム１を単体の情報処理装置によって実現する場合の構成を示す模式図である。
図９においては、図２に示す薬剤検査情報ＤＢサーバ２０の主要な機能的構成を端末装置１０に備えることにより、端末装置１０単体で医療情報提供システム１の機能を実現している。
図９に示す構成とした場合、単体の装置によって、処方に際して検査を要する薬剤の検索を行うことができるため、ネットワークを使用することなく、医師や薬剤師は、処方された薬剤に、処方に際して検査を要する薬剤が含まれているか否か、及び、含まれている場合には、その検査項目及び検査値の基準範囲を簡単に確認することができる。
【００５３】
以上のように、本実施形態に係る医療情報提供システム１は、薬剤検査情報ＤＢサーバ２０において、薬剤検査情報抽出部２１ｄ（薬剤検査情報抽出手段、データベース生成手段）と、データベース管理部２１ｅ（薬剤検査情報提供手段）とを備えている。
薬剤検査情報抽出部２１ｄは、複数種類の薬剤の添付文書のデータ及び内臓機能の低下に関する処方のガイドラインを示す文書のデータの少なくともいずれかから、処方に際して検査を要する薬剤の検査に関する情報を抽出する。
また、薬剤検査情報抽出部２１ｄは、抽出された前記薬剤の検査に関する情報と当該薬剤とが対応付けて格納された薬剤検査情報データベースを生成する。
また、データベース管理部２１ｅは、端末装置１０からの要求に応じて、生成された薬剤検査情報データベースを参照し、対象とする薬剤の検査に関する情報を端末装置１０に提供する。
このような構成により、添付文書あるいはガイドラインの文書のデータにおいて、処方に際して検査を要する薬剤を抽出し、その検査項目及び検査値の基準範囲等を含む薬剤検査情報ＤＢを自動的に生成することが可能となる。そして、このように生成された薬剤検査情報ＤＢを利用して、処方される薬剤が患者における検査を要するものであるか否かをより容易に確認することが可能となる。
【００５４】
また、医療情報提供システム１は、薬剤検査情報ＤＢサーバ２０において、項目別条件設定部２１ｂを備えている。
項目別条件設定部２１ｂは、添付文書のデータ及びガイドラインを示す文書のデータを対象として、処方に際して検査を要する薬剤の検査に関する情報を抽出するための抽出条件を、添付文書のデータ及びガイドラインを示すデータの項目毎に設定する。
また、薬剤検査情報抽出部２１ｄは、項目別条件設定部２１ｂによって設定された抽出条件に従って、添付文書のデータ及びガイドラインを示す文書のデータの項目毎に、処方に際して検査を要する薬剤の検査に関する情報を抽出する。
このような構成により、添付文書及びガイドラインの項目毎に抽出条件が設定されることにより、各項目の記載の特徴を反映したより適切な抽出条件を設定することが可能となる。
【００５５】
また、抽出条件には、添付文書のデータ及びガイドラインを示す文書のデータの項目毎に設定された文字列と、当該文字列と関連性を有する特定の文字列と、これらの文字列が有する関係とが定義されている。
このような構成により、添付文書及びガイドラインの文書のデータに含まれる検査項目あるいは検査値の基準値または基準範囲を自動的に適切に抽出することが可能となる。
【００５６】
また、医療情報提供システム１は、例外情報取得部２１ｃ（安全性情報取得手段）を備えている。
例外情報取得部２１ｃは、薬剤検査情報データベースに含まれていない薬剤の安全性に関する情報を取得する。
また、薬剤検査情報抽出部２１ｄは、薬剤検査情報データベースと、薬剤の安全性に関する情報とを参照し、対象とする薬剤の検査に関する情報を提供する。
このような構成により、薬剤検査情報ＤＢの更新前に発行された安全性に関する情報を含めて、処方に際して検査を要する薬剤の検査項目及び検査値の基準値または基準範囲を検索することが可能となる。
【００５７】
また、医療情報提供システム１は、薬剤文書情報取得部２１ａ（薬剤文書情報取得手段）を備えている。
薬剤文書情報取得部２１ａは、複数種類の薬剤の添付文書のデータ及び内臓機能の低下に関する処方のガイドラインを示す文書のデータの少なくともいずれかを、予め設定された取得先から取得する。
また、薬剤文書情報取得部２１ａは、予め設定されたタイミングで、複数種類の薬剤の添付文書のデータ及び内臓機能の低下に関する処方のガイドラインを示す文書のデータの少なくともいずれかを取得して更新する。
このような構成により、薬剤検査情報ＤＢの内容が最新の状態に更新され、より適切な処方箋の出力を行うことが可能となる。
【００５８】
また、本実施形態に係る処方箋Ｐは、患者情報領域Ｐ１と、医療機関情報領域Ｐ２と、固定検査値領域Ｐ３と、医薬品別検査値領域Ｐ４とを含んでいる。
患者情報領域Ｐ１は、患者に関する情報を表す。
医療機関情報領域Ｐ２は、処方箋を発行した医療機関を表す。
固定検査値領域Ｐ３は、処方された薬剤に関わらず複数の患者に共通する検査値である固定検査値のデータを表す。
医薬品別検査値領域Ｐ４は、患者に処方された薬剤のうち、処方に際して検査を要する薬剤に関連する検査値である医薬品別検査値のデータを、当該患者の過去の推移を識別して表す。
このような構成により、患者の状態をより適確に判断することが可能となり、より適切に薬剤の処方を行うことが可能となる。
【００５９】
なお、本発明は、上述の実施形態に限定されるものではなく、本発明の目的を達成できる範囲での変形、改良等は本発明に含まれるものである。
例えば、上述の実施形態においては、医療情報提供システム１によって出力する処方箋を院外処方箋であるものとして説明したが、これに限られない。即ち、医療情報提供システム１によって、院内処方箋を出力することが可能である他、処方される薬剤を出力する処方箋以外の各種医療情報提供媒体に適用することが可能である。
【００６０】
また、上述の実施形態において、処方に際して検査を要する薬剤に関連する検査値の基準範囲のデータは、薬剤検査情報ＤＢに記憶されているものとして説明したが、これに限られない。
例えば、処方に際して検査を要する薬剤に関連する検査値の基準範囲のデータを病院内システム等に記憶しておき、検査結果データ取得部１１ｃが検査値のデータを取得する際に、検査値の基準範囲を併せて取得することとしてもよい。
【００６１】
また、上述の実施形態において、処方箋Ｐでは、前々回の検査値、前回の検査値、今回（直近）の検査値の順で、左から右に各検査値の推移が示されるものとして説明したが、これに限られない。
即ち、医薬品別検査値領域Ｐ４には、その患者の検査値の推移が識別可能に示されていればよく、例えば、過去の検査値の推移を、増加傾向を右上向きの矢印、減少傾向を右下向きの矢印、維持傾向を右向きの矢印によって視覚的に識別可能に示すこと等が可能である。さらに、過去の検査値の推移を折れ線として表したり、検査値の基準範囲に対する過去の検査値の相対関係を所定の記号（ドットやアスタリスク等）の表示位置で表したりすることが可能である。
【００６２】
また、上述の実施形態において、薬剤の処方に関する例外情報の取得先として、独立行政法人医薬品医療機器総合機構を例に挙げて説明したが、これに限られない。即ち、独立行政法人医薬品医療機器総合機構に類する日本国内あるいは外国の公的機関によって発行される例外情報を取得することが可能である。
【００６３】
また、上述の実施形態において、院外処方箋を電子データとして出力する場合、医療情報提供システム１における独自のフォーマットのデータを用いることの他、公的に利用されている特定のフォーマットの処方箋のデータを用いること等が可能である。例えば、厚生労働省によって企図されている電子処方箋を医療情報提供システム１で使用可能とし、この電子処方箋を包含する院外処方箋のデータを出力することとしてもよい。公的に利用されている特定のフォーマットと対応する院外処方箋のデータとすることで、電子お薬手帳や医療機関が管理する医療情報との連携をより容易に行うことが可能となる。
【００６４】
また、上述の実施形態において、医療情報提供システム１をクラウド化したシステムとして構成する場合、薬剤検査情報ＤＢサーバ２０に対するＡＰＩのリクエストを行ったシステム（端末装置１０が属する医療関連システム）やユーザ（医師等）のレベル（権限の種別）に応じて、薬剤検査情報ＤＢサーバ２０が異なる応答を行うこととしてもよい。例えば、同一のＡＰＩによるリクエストであっても、薬剤検査情報ＤＢサーバ２０が、リクエスト元となるシステムやユーザに付与されているレベルに応じた内容の検索結果を送信することとしてもよい。
リクエスト元となるシステムやユーザにレベル（権限）を付与する場合、医療機関、医療施設、部門等の組織単位や、医師や薬剤師等の医療従事者個人を単位として、レベルを設定することができる。また、医療情報提供システム１のユーザ側において、システムの管理を行う管理者に、管理者用の権限（例えばフルアクセスの許可）を設定することとしてもよい。
これにより、ＡＰＩによって共通化されたインターフェースの利用を可能としつつ、ユーザ側の権限を考慮した適切な検索結果を提供することができる。
【符号の説明】
【００６５】
１  医療情報提供システム、１０  端末装置、１１，２１  制御部、１１ａ  処方箋情報取得部、１１ｂ  薬剤検査情報確認部、１１ｃ  検査結果データ取得部、１１ｄ  処方箋出力部、２１ａ  薬剤文書情報取得部、２１ｂ  項目別条件設定部、２１ｃ  例外情報取得部、２１ｄ  薬剤検査情報抽出部、２１ｅ  データベース管理部、１２，２２  記憶部、２２ａ  薬剤文書データ記憶部、２２ｂ  薬剤検査情報ＤＢ、２２ｃ  例外情報記憶部、１３，２３  入力部、１４，２４  表示部、１５，２５  通信部、１６  撮像部、２０  薬剤検査情報ＤＢサーバ、Ｐ  処方箋、Ｐ１  患者情報領域、Ｐ２  医療機関情報領域、Ｐ３  固定検査値領域、Ｐ４  医薬品別検査値領域
【図１】
2019185827.tif 000003
【図２】
2019185827.tif 000004
【図３】
2019185827.tif 000005
【図４】
2019185827.tif 000006
【図５】
2019185827.tif 000007
【図６】
2019185827.tif 000008
【図７】
2019185827.tif 000009
【図８】
2019185827.tif 000010
【図９】
2019185827.tif 000011